(57)【特許請求の範囲】
【請求項１】
第１バスバーと、前記第１バスバーとは別体の第２バスバーと、一端が前記第１バスバーにねじ止めされると共に他端が前記第２バスバーにねじ止めされて前記第１バスバーと前記第２バスバーとの間を溶断可能に導通接続するヒューズと、前記第１バスバーと前記第２バスバーと前記ヒューズとを収容するハウジングと、を備え、
前記第１バスバー及び前記第２バスバーは、機器内に挿入されて前記機器内の回路に接続される機器用タブと、外部からの電線に接続される外部電線用タブと、を備え、
前記ハウジングは、前記機器用タブの周囲を覆って機器のコネクタ取付け孔に嵌合するフード部を備え、前記機器内に開放する前記フード部内の収容空間に、前記ヒューズが取り付けられていることを特徴とするコネクタ。
【請求項２】
前記フード部の外周に、前記コネクタ取付け孔との間を液密に封止するパッキンが設けられたことを特徴とする請求項１に記載のコネクタ。
【請求項３】
前記外部電線用タブに接続される電線がシールド電線であり、前記ハウジングには、前記ハウジングの外周を覆ってハウジング内外を電磁遮蔽するシールドカバーが装着されることを特徴とする請求項１又は２に記載のコネクタ。
【発明の詳細な説明】
【技術分野】
【０００１】
本発明は、例えば車両に搭載される機器に、電線の接続を行うコネクタに関する。
【背景技術】
【０００２】
図９は、車両に搭載される機器にシールド電線を接続するコネクタの従来例を示したものである。
【０００３】
ここに示したコネクタ１０１は、シールド電線を車載の機器１１０内の不図示の端子に接続するコネクタで、下記特許文献１に開示されたものである。
【０００４】
このコネクタ１０１は、図中の紙面に直交する方向に並ぶ２つのバスバー１０３と、これらの２つのバスバー１０３間を溶断可能に導通接続するヒューズ１０５と、これらのバスバー１０３とヒューズ１０５とを収容する樹脂製のハウジング１０７とを備える。
【０００５】
バスバー１０３は、金属板のプレス成形品で、機器１１０内に挿入されて機器１１０内の回路に接続される機器用タブ１０３ａと、外部からの不図示のシールド電線に接続される外部電線用タブ１０３ｂと、を備えている。
【０００６】
ヒューズ１０５は、一端が一方のバスバー１０３にねじ止めされると共に、他端が他方のバスバー１０３にねじ止めされることで、２つのバスバー１０３間を溶断可能に導通接続している。
【０００７】
ハウジング１０７は、収容するバスバー１０３が樹脂モールドにより固定される。このハウジング１０７は、機器１１０の外部に位置する上部が、開閉カバー１０８により、開閉可能になっている。図９は、開閉カバー１０８を開いた状態である。開閉カバー１０８を開いた状態では、ハウジング１０７内のヒューズ収容部１０７ａの上部側が外部に開放されて、その開放部からヒューズ１０５の着脱が可能になる。
【０００８】
ハウジング１０７には、該ハウジング１０７の外周を覆ってハウジング１０７の内外を電磁遮蔽するシールドカバー１０９が装着される。
【０００９】
以上に説明したように、特許文献１に記載のコネクタ１０１は、機器１１０の外部に位置するハウジング１０７の上部を覆っている開閉カバー１０８を開くと、ヒューズ収容部１０７ａが外部に開放されて、ヒューズ１０５の着脱が可能になる構成になっている。
【００１０】
図１０〜図１３は、車両に搭載される機器にシールド電線を接続するコネクタの他の従来例を示したものである。図１０は他の従来例としてのコネクタの組立状態の斜視図、図１１は他の従来例としてのコネクタの開閉カバーを開いてハウジング内のヒューズを着脱可能にした状態の斜視図、図１２はハウジング内からヒューズを取り外した状態の斜視図である。
【００１１】
この他の従来例としてのコネクタ１２１も、シールド電線を車載の機器内の端子に接続するもので、図９に示したコネクタ１０１と同様に、２つのバスバー１２３と、これらの２つのバスバー１２３間を溶断可能に導通接続するヒューズ１２５と、これらのバスバー１２３とヒューズ１２５とを収容する樹脂製のハウジング１２７とを備える。
【００１２】
バスバー１２３は、図１１に示すように、金属板のプレス成形品で、不図示の車載の機器内に挿入されて機器内の回路に接続される機器用タブ１２３ａと、外部からのシールド電線１４１に接続される不図示の外部電線用タブと、を備えている。
【００１３】
ヒューズ１２５は、一端が一方のバスバー１２３にねじ止めされると共に、他端が他方のバスバー１２３にねじ止めされることで、２つのバスバー１２３間を溶断可能に導通接続している。図１２の符号１３３は、ヒューズ１２５のねじ止めに使用されるナットである。
【００１４】
ハウジング１２７は、不図示の機器に取り付けるための機器取付け部１３１が、上部の一側に延設されている。このハウジング１２７の場合も、特許文献１のコネクタ１０１の場合と同様に、機器の外部に位置する上部が、開閉カバー１２８により、開閉可能になっている。図１１は、開閉カバー１２８を開いた状態である。開閉カバー１２８を開いた状態では、ハウジング１２７内のヒューズ収容部１２７ａの上部側が外部に開放されて、図１２に示すように、その開放部からヒューズ１２５の着脱が可能になる。
【００１５】
即ち、図１０〜図１２に示したコネクタ１２１も、特許文献１のコネクタ１０１の場合と同様に、機器の外部に位置するハウジング１２７の上部を覆っている開閉カバー１２８を開くと、ヒューズ収容部１２７ａが外部に開放されて、ヒューズ１２５の着脱が可能になる構成になっている。
【先行技術文献】
【特許文献】
【００１６】
【特許文献１】特開２００４−２７３３８１号公報
【発明の概要】
【発明が解決しようとする課題】
【００１７】
ところが、前述したように、上記の特許文献１や図１０〜図１２に示されたコネクタ１０１，１２１は、機器の外部に位置するハウジング１０７，１２７の上部の開閉カバー１０８，１２８を開いて、ヒューズ１０５，１２５の着脱を行う構造である。そのため、ハウジング１０７，１２７に開閉カバー１０８，１２８を装備することに伴い、開閉カバー１０８，１２８をハウジングに締結するためのねじ等の固定手段や、開閉カバー１０８，１２８による開閉部の防水性を確保するためのパッキンなども必要となり、コネクタを構成する部品が増えるという問題が生じた。
【００１８】
また、ヒューズの交換作業等の後の開閉カバー１０８，１２８の締め忘れによって、防水性などに対する信頼性を損なうおそれがあった。
【００１９】
また、ハウジング外周を覆うシールドカバーを装備する場合に、シールドカバーが開閉カバー１０８，１２８の開閉の障害とならないように、シールドカバーの形状等に制限が生じ、シールド性能を向上させることが難しいという問題も生じた。
【００２０】
そこで、本発明の目的は、上記課題を解消することに係り、ヒューズが着脱可能なコネクタにおいて、構成部品の削減や信頼性の向上を図ることができ、また、シールド性能を向上させることができるコネクタを提供することにある。
【課題を解決するための手段】
【００２１】
本発明の前述した目的は、下記の構成により達成される。
（１）第１バスバーと、前記第１バスバーとは別体の第２バスバーと、一端が前記第１バスバーにねじ止めされると共に他端が前記第２バスバーにねじ止めされて前記第１バスバーと前記第２バスバーとの間を溶断可能に導通接続するヒューズと、前記第１バスバーと前記第２バスバーと前記ヒューズとを収容するハウジングと、を備え、
前記第１バスバー及び前記第２バスバーは、機器内に挿入されて前記機器内の回路に接続される機器用タブと、外部からの電線に接続される外部電線用タブと、を備え、
前記ハウジングは、前記機器用タブの周囲を覆って機器のコネクタ取付け孔に嵌合するフード部を備え、前記機器内に開放する前記フード部内の収容空間に、前記ヒューズが取り付けられていることを特徴とするコネクタ。
【００２２】
（２）前記フード部の外周に、前記コネクタ取付け孔との間を液密に封止するパッキンが設けられたことを特徴とする上記（１）に記載のコネクタ。
【００２３】
（３）前記外部電線用タブに接続される電線がシールド電線であり、前記ハウジングには、前記ハウジングの外周を覆ってハウジング内外を電磁遮蔽するシールドカバーが装着されることを特徴とする上記（１）又は（２）に記載のコネクタ。
【００２４】
上記（１）の構成によれば、ヒューズを収容するコネクタ内の収容空間は、機器のコネクタ取付け孔に嵌合するハウジングのフード部内にある。そのため、ハウジングを機器から取り外した状態にすれば、前記フード部が露出状態になり、ヒューズの着脱が可能になる。
【００２５】
また、ヒューズの取付け部である収容空間は、開閉カバーで覆う構造でないため、開閉カバーによりヒューズの取付け部を開閉可能にした従来のコネクタと比較すると、開閉カバーやパッキン、開閉カバーをハウジングに固定する締結手段等を全て省略することができ、コネクタにおける構成部品の大幅な削減を行うことができる。
【００２６】
また、開閉カバーを備えていないため、開閉カバーの締め忘れによって防水性などに対する信頼性を損なうおそれもなく、コネクタにおける信頼性を向上させることもできる。
【００２７】
上記（２）の構成によれば、ハウジングのフード部と機器のコネクタ取付け孔との間が、パッキンによって防水されることで、フード部とコネクタ取付け孔との間から水滴が機器内に浸入することを防止することができ、機器内に位置するフード部に収容されているヒューズに対する防水性を向上させることができる。
【００２８】
上記（３）の構成によれば、ハウジングが、ヒューズの取付け部を開閉する開閉カバーを有しない単純な構造のため、開閉カバーを備えた従来のコネクタの場合と比較すると、ハウジング内外を電磁遮蔽するシールドカバーもハウジングの外周を覆い易くなり、シールド性能を向上させることができる。
【発明の効果】
【００２９】
本発明によるコネクタによれば、ヒューズを収容するコネクタ内の収容空間は、機器のコネクタ取付け孔に嵌合するハウジングのフード部内にある。そのため、ハウジングを機器から取り外した状態にすれば、前記フード部が露出状態になり、ヒューズの着脱が可能になる。
【００３０】
また、ヒューズの取付け部は、開閉カバーで覆う構造でないため、開閉カバーによりヒューズの取付け部を開閉可能にした従来のコネクタと比較すると、開閉カバーやパッキン、開閉カバーをハウジングに固定する締結手段等を全て省略することができ、コネクタにおける構成部品の大幅な削減を行うことができる。
【００３１】
また、開閉カバーを備えていないため、開閉カバーの締め忘れによって防水性などに対する信頼性を損なうおそれもなく、コネクタにおける信頼性を向上させることもできる。
【図面の簡単な説明】
【００３２】
【図１】本発明に係るコネクタの一実施形態の機器に取り付けた状態の縦断面図である。
【図２】図１に示したコネクタの単品での斜視図である。
【図３】図２に示したコネクタの分解斜視図である。
【図４】図２に示したコネクタに収容される第１バスバー及び第２バスバーの斜視図である。
【図５】図２に示したコネクタの正面図である。
【図６】図５のＡ−Ａ断面図である。
【図７】図１に示したコネクタが機器に取り付けられた状態の斜視図である。
【図８】機器からコネクタが取り外された状態の斜視図である。
【図９】従来のコネクタの機器に取り付けた状態の縦断面図である。
【図１０】従来の別のコネクタの組立状態の斜視図である。
【図１１】図１０に示したコネクタの開閉カバーを取り外した状態の斜視図である。
【図１２】図１１に示したコネクタのヒューズを取り外した状態の斜視図である。
【発明を実施するための形態】
【００３３】
以下、本発明に係るコネクタの好適な実施形態について、図面を参照して詳細に説明する。
【００３４】
図１〜図６は本発明に係るコネクタの一実施形態を示したもので、図１は一実施形態のコネクタの機器に取り付けた状態の縦断面図、図２は図１に示したコネクタの単品での斜視図、図３は図２に示したコネクタの分解斜視図、図４は図２に示したコネクタに収容される第１バスバー及び第２バスバーの斜視図、図５は図２に示したコネクタの正面図、図６は図５のＡ−Ａ断面図である。
【００３５】
この一実施形態のコネクタ１は、車両に搭載される機器３にシールド電線５を接続する所謂シールドコネクタで、第１バスバー１１と、第１バスバー１１とは別体の第２バスバー２１と、一端が第１バスバー１１にねじ止めされると共に他端が第２バスバー２１にねじ止めされて第１バスバー１１と第２バスバー２１との間を溶断可能に導通接続するヒューズ３１と、第１バスバー１１と第２バスバー２１とヒューズ３１とを収容するハウジング４１と、ハウジング４１の外周を覆うシールドカバー５１と、を備える。
【００３６】
第１バスバー１１及び第２バスバー２１は、板金製で、図１及び図４に示すように、機器３内に挿入されて機器３内の回路に接続される機器用タブ１２，２２と、外部からの電線であるシールド電線５に接続される外部電線用タブ１３，２３と、ヒューズ３１をねじ止めするためのスタッドボルト１４，２４と、を備える。
【００３７】
図１及び図４に示すように、外部電線用タブ１３，２３に接続されるシールド電線５のシールド層（編組線）には、シールドターミナル７が被嵌装着される。
【００３８】
スタッドボルト１４，２４は、図４に示すように、各バスバー１１，２１に一体形成されたヒューズ接続用の耳部１５，２５に植設されている。
【００３９】
ヒューズ３１は、図３に示すように、両端の接続端子部３２に、スタッドボルト１４，２４を挿通させるボルト挿通孔３３が形成されている。ヒューズ３１の両端の接続端子部３２は、スタッドボルト１４，２４に螺合するナット３５の締め付けにより、各バスバー１１，２１の耳部１５，２５にねじ止めされる。両端の接続端子部３２が各バスバー１１，２１にねじ止めされることで、ヒューズ３１は、第１バスバー１１と第２バスバー２１との間を溶断可能に導通接続する。
【００４０】
ハウジング４１は、樹脂製である。ハウジング４１に収容される第１バスバー１１及び第２バスバー２１は、ハウジング４１を成形する際のインサート成形、あるいは樹脂モールドにより、ハウジング４１内に固定される。本実施形態のハウジング４１は、図２及び図３に示すように、機器用タブ１２，２２の周囲を覆って機器３のコネクタ取付け孔６に嵌合する筒状のフード部４３を備えている。
【００４１】
更に、本実施形態におけるハウジング４１は、図５及び図６に示すように、機器３内に開放するフード部４３内の収容空間４５に、ヒューズ３１が取り付けられている。
【００４２】
つまり、ヒューズ３１が収容空間４５で各バスバー１１，２１にねじ止めされるように、各バスバー１１，２１の形状・寸法が設定されている。
【００４３】
また、本実施形態のハウジング４１の場合、図３に示すように、フード部４３の外周には、リング状のパッキン４８を装着するシール溝４９が形成されている。
【００４４】
フード部４３に装着されたパッキン４８は、図１に示すように、フード部４３をコネクタ取付け孔６に嵌合させた際に、コネクタ取付け孔６に密着嵌合し、コネクタ取付け孔６との間を液密に封止する。
【００４５】
シールドカバー５１は、図３に示すように、機器３とは逆側からハウジング４１に被さる第１シールドシェル５３と、機器３側からハウジング４１に被さる第２シールドシェル５４と、を備えている。第１シールドシェル５３と第２シールドシェル５４は、ハウジング４１を挟み込むようにハウジング４１に装着されて、ハウジング４１のフード部４３以外の外周のほとんどを覆い、ハウジング４１内外を電磁遮蔽する。第１シールドシェル５３と第２シールドシェル５４は、図３及び図５に示すように、ハウジング４１を挟み付けた状態で、ボルト６１による締結により、互いに結合される。
【００４６】
また、第１シールドシェル５３及び第２シールドシェル５４は、図１及び図３に示すように、シールドターミナル７の外周に密着接触するターミナル接触部５３ａ，５４ａを有していて、シールド電線５のシールド層に導通接続された状態になる。
【００４７】
以上に説明したコネクタ１は、図１及び図７に示したように、フード部４３を機器３のコネクタ取付け孔６に嵌合させることで、機器３に取り付けた状態になる。また、コネクタ１は、図８に示すように機器３から取り外すと、フード部４３内のヒューズ３１を着脱可能になる。
【００４８】
以上に説明した一実施形態のコネクタ１では、ヒューズ３１を収容するコネクタ１内の収容空間４５は、機器３のコネクタ取付け孔６に嵌合するハウジング４１のフード部４３内にある。そのため、図８に示したように、ハウジング４１を機器３から取り外した状態にすれば、フード部４３が露出状態になり、ヒューズ３１の着脱が可能になる。
【００４９】
また、ヒューズ３１の取付け部である収容空間４５は、開閉カバーで覆う構造でないため、開閉カバーによりヒューズの取付け部を開閉可能にした従来のコネクタと比較すると、開閉カバーやパッキン、開閉カバーをハウジングに固定する締結手段等を全て省略することができ、コネクタ１における構成部品の大幅な削減を行うことができる。
【００５０】
また、開閉カバーを備えていないため、開閉カバーの締め忘れによって防水性などに対する信頼性を損なうおそれもなく、コネクタ１における信頼性を向上させることもできる。
【００５１】
また、以上に説明した一実施形態のコネクタ１では、ハウジング４１のフード部４３と機器３のコネクタ取付け孔６との間が、パッキン４８によって防水されることで、フード部４３とコネクタ取付け孔６との間から水滴が機器３内に浸入することを防止することができ、機器３内に位置するフード部４３に収容されているヒューズ３１に対する防水性を向上させることができる。
【００５２】
また、以上に説明した一実施形態のコネクタ１では、ハウジング４１が、ヒューズ３１の取付け部である収容空間４５を開閉する開閉カバーを有しない単純な構造のため、開閉カバーを備えた従来のコネクタの場合と比較すると、ハウジング４１内外を電磁遮蔽するシールドカバー５１もハウジング４１の外周を覆い易くなり、シールド性能を向上させることができる。
【００５３】
なお、本発明のコネクタは、前述した各実施形態に限定されるものでなく、適宜な変形、改良等が可能である。また、前述した実施形態において例示したフード部や各バスバーの形状、寸法、形態、数量、配置箇所等は、本発明の目的を達成できるものであれば、任意であり、前述した各実施形態に限定されない。
【符号の説明】
【００５４】
１  コネクタ（シールドコネクタ）
３  機器
６  コネクタ取付け孔
１１  第１バスバー
１２  機器用タブ
２１  第２バスバー
２２  機器用タブ
３１  ヒューズ
４１  ハウジング
４３  フード部
４５  収容空間
４８  パッキン
５１  シールドカバー
５３  第１シールドシェル
５４  第２シールドシェル
【図１】
0005524687.tif 000002
【図２】
0005524687.tif 000003
【図３】
0005524687.tif 000004
【図４】
0005524687.tif 000005
【図５】
0005524687.tif 000006
【図６】
0005524687.tif 000007
【図７】
0005524687.tif 000008
【図８】
0005524687.tif 000009
【図９】
0005524687.tif 000010
【図１０】
0005524687.tif 000011
【図１１】
0005524687.tif 000012
【図１２】
0005524687.tif 000013